(57)【要約】【課題】硬化した裏込材を補強することで高い強度を発揮し得るようにした既設管渠の更生構造と、更生工法を提供する。【解決手段】補修すべき管渠１と、管渠の底部を含む内周面から離隔して配置された更生材２と、管渠の内周面と更生材の外周面とで構成された空間に配置された金網３と、前記空間に充填され金網に付着して硬化した裏込材４とを有する。管渠の更生工法は、補修すべき管渠の内周面に沿って金網を配置する工程と、金網が配置された管渠の内部に該管渠の底部を含む内周面から離隔させて更生材を配置する工程と、管渠の内周面と更生材の外周面とで構成された空間に裏込材を充填する工程と、を有する。【選択図】    図１
2016186340.tif 000002
【特許請求の範囲】
【請求項１】
補修すべき既設管渠と、
前記既設管渠の内部に該既設管渠の底部を含む内周面から離隔して配置された更生材と、
前記既設管渠の内周面と前記更生材の外周面とで構成された空間に配置された補強用金網と、
前記空間に充填され、前記補強金網に付着して硬化した裏込材と、
を有することを特徴とする既設管渠の更生構造。
【請求項２】
前記更生材が、複数のセグメントを前記既設管渠の内周面の周方向、及び延長方向に連続させて構成されていることを特徴とする請求項１に記載した既設管渠の更生構造。
【請求項３】
前記更生材が、円筒状の部材を前記既設管渠の延長方向に連続させて構成されていることを特徴とする請求項１に記載した既設管渠の更生構造。
【請求項４】
前記更生材が、長尺状の部材を螺旋状に連続させて巻きつけて前記既設管渠の内周面の断面形状と類似した断面形状に構成されていることを特徴とする請求項１に記載した既設管渠の更生構造。
【請求項５】
補修すべき既設管渠の内周面に沿って補強金網を配置する工程と、
補強金網が配置された補修すべき既設管渠の内部に、該既設管渠の底部を含む内周面から離隔させて更生材を配置する工程と、
補修すべき既設管渠の内周面と前記更生材の外周面とで構成された空間に裏込材を充填する工程と、
を有することを特徴とする既設管渠の更生工法。
【請求項６】
前記既設管渠の内部に更生材を配置する工程は、
補強金網が配置された補修すべき既設管渠の内部に、該既設管渠の底部を含む内周面から離隔させて複数のセグメントを該既設管渠の内周面の周方向、及び延長方向に連続させて連結する工程であることを特徴とする請求項５に記載した既設管渠の更生工法。
【請求項７】
前記既設管渠の内部に更生材を配置する工程は、
補強金網が配置された補修すべき既設管渠の内部に、該既設管渠の底部を含む内周面から離隔させて円筒状の部材を該既設管渠の延長方向に連続させる工程であることを特徴とする請求項５に記載した既設管渠の更生工法。
【発明の詳細な説明】
【技術分野】
【０００１】
本発明は、劣化した既設管渠を更生した構造と、劣化した既設管渠を更生するための工法に関するものである。
【背景技術】
【０００２】
地中には、円筒管或いは角筒管からなる下水道用の管渠、農業用水用の管渠等多くの管渠が敷設されている。これらの管渠は経時的に劣化するため、劣化した管渠の内部に新たな更生材を配置することによって更生することが行われる。
【０００３】
例えば下水道用の管渠では、長期間の使用によって管の内周面が腐食して強度が低下することがあり、作用する荷重によっては破壊する虞が生じる。また、地震や地盤沈下等に起因して、管どうしの間に抜け出しを含むずれが生じたり、管にひび割れが生じることがあり、ずれやひび割れから地下水が浸入する虞がある。そして、管路内に地下水が浸入した場合、下水道処理施設に過大な負担をかけるという問題や、地下水と共に管路周囲の土砂が入り込んで周囲に空洞が生じ、道路陥没の原因となるという問題が生じる。
【０００４】
劣化した既設管渠を更生する場合には幾つかの工法が採用されている。その中に、既設管渠の内部に、複数のセグメントを既設管渠の延長方向及び周方向に連結した更生材や、長尺状の部材を螺旋状に巻きつけた更生材を配置して更生する工法がある。これらの工法で採用されるセグメントや長尺状の部材からなる更生材の場合、該更生材の外周面と既設管渠の内周面とが接触することなく隙間が形成されるのが一般的であり、且つ更生材自体が単独で充分な強度を発揮するものではない。このため、これらの工法では、更生材と既設管渠との間に形成された隙間にセメントミルクやモルタル等の裏込材を充填することで強度の向上をはかっている。
【発明の概要】
【発明が解決しようとする課題】
【０００５】
上記した工法では、既設管渠の内周面と更生材の外周面との隙間に充填された裏込材が硬化することで強度を発揮することができる。しかし、管渠には経時的に曲げ応力やせん断応力が作用するため、作用する曲げ応力やせん断応力に対し確実に対抗し得る更生構造を開発することが要求されているのが実情である。
【０００６】
本発明の目的は、硬化した裏込材を補強することで高い強度を発揮し得るようにした既設管渠の更生構造と、更生工法を提供することにある。
【課題を解決するための手段】
【０００７】
上記課題を解決するために本発明に係る既設管渠の更生構造は、補修すべき既設管渠と、前記既設管渠の内部に該既設管渠の底部を含む内周面から離隔して配置された更生材と、前記既設管渠の内周面と前記更生材の外周面とで構成された空間に配置された補強用金網と、前記空間に充填され、前記補強金網に付着して硬化した裏込材と、を有するものである。
【０００８】
上記既設管渠の更生構造に於いて、前記更生材が、複数のセグメントを前記既設管渠の内周面の周方向、及び延長方向に連続させて構成されているか、又は円筒状の部材を前記既設管渠の延長方向に連続させて構成されているか、或いは長尺状の部材を螺旋状に連続させて巻きつけて前記既設管渠の内周面の断面形状と類似した断面形状に構成されていることが好ましい。
【０００９】
また、本発明に係る既設管渠の更生工法は、補修すべき既設管渠の内周面に沿って補強金網を配置する工程と、補強金網が配置された補修すべき既設管渠の内部に、該既設管渠の底部を含む内周面から離隔させて更生材を配置する工程と、補修すべき既設管渠の内周面と前記更生材の外周面とで構成された空間に裏込材を充填する工程と、を有することを特徴とする。
【００１０】
上記既設管渠の更生工法に於いて、前記既設管渠の内部に更生材を配置する工程は、補強金網が配置された補修すべき既設管渠の内部に、該既設管渠の底部を含む内周面から離隔させて複数のセグメントを該既設管渠の内周面の周方向、及び延長方向に連続させて連結する工程であるか、又は補強金網が配置された補修すべき既設管渠の内部に、該既設管渠の底部を含む内周面から離隔させて円筒状の部材を該既設管渠の延長方向に連続させる工程であることが好ましい。
【発明の効果】
【００１１】
本発明に係る既設管渠の更生構造では、補修すべき既設管渠の底部を含む内周面から離隔して更生材が配置されると共に、両者の間に構成された空間に補強用金網が配置されており、更に、この空間に充填された裏込材が補強金網に付着して硬化している。このため、硬化した裏込材に曲げ応力やせん断力が作用したとき、この曲げ応力やせん断力に対し補強金網によって対抗することが可能となり、充分に高い強度を実現することができる。
【００１２】
また、更生材は、複数のセグメントを既設管渠の内周面の周方向、及び延長方向に連続させて構成されていても良く、また、円筒状の部材を既設管渠の延長方向に連続させて構成されていても良い。更に、長尺状の部材を螺旋状に連続させて巻きつけて既設管渠の内周面の断面形状と類似した断面形状に構成されていても良い。
【００１３】
上記の如く構成された更生材は、既設管渠の断面形状に対応させて選択することが有効である。即ち、更生材として複数のセグメントを用いる場合、既設管渠の断面形状が円形又は多角形であったとしても、該既設管渠の断面を周方向に複数に分割し、分割した部分毎に対応させた形状の複数のセグメントを形成することで対応することができる。
【００１４】
また、円筒状の更生材を利用する場合、既設管渠の断面形状が円形であれば容易に対応することができる。更に、更生材として長尺状の部材を用いる場合、既設管渠の断面形状が円形であれば該更生材を巻き付けることで容易に対応することができ、多角形であったとしても、長尺状の部材を螺旋状に巻き付けたとき、この更生材の断面形状が楕円形状になるものの対応することができる。
【００１５】
本発明に係る既設管渠の更生工法では、補修すべき既設管渠の内周面に沿って補強金網を配置し、この既設管渠の内部に底部を含む内周面から離隔させて更生材を配置し、更に、既設管渠の内周面と更生材の外周面とで構成された空間に裏込材を充填することで、補修すべき既設管渠を更生することができる。
【００１６】
特に、既設管渠の内部に更生材を配置する工程が、補強金網が配置された既設管渠の内部に、底部を含む内周面から離隔させて複数のセグメントを内周面の周方向及び延長方向に連続させて連結する工程であることで、セグメントを用いた更生構造を実現できる。また、補強金網が配置された既設管渠の内部に底部を含む内周面から離隔させて円筒状の部材を該既設管渠の延長方向に連続させる工程であることで、円筒状の部材からなる更生材を用いた更生構造を実現できる。
【図面の簡単な説明】
【００１７】
【図１】第１実施例に係る既設管渠の更生構造を模式的に説明する図である。
【図２】形状の異なる既設管渠に於ける更生構造の例を説明する図である。
【図３】第１実施例に係る更生構造を施工する手順を説明する図である。
【図４】他の更生材を利用した更生構造の構成を説明する図である。
【発明を実施するための形態】
【００１８】
以下、本発明に係る既設管渠（以下、単に「管渠」という）の更生構造について説明する。本発明に係る管渠の更生構造は、劣化した管渠を更生材によって更生する際に、管渠の内周面と更生材の外周面との間に形成された空間に補強金網を配置して裏込材を充填したものである。そして、充填された裏込材は補強金網に付着して硬化することで、高い強度を発揮することが可能である。
【００１９】
本発明に於いて、更生すべき既設管渠の用途は限定するものではなく、下水道用の管渠、農業用水用の管渠等であって、内周面の劣化やひび割れ等の支障が存在して更生する必要が生じた管渠を対象としている。また、管渠の断面形状も限定するものではなく、円筒型管渠、角筒型管渠、アーチ型管渠等の管渠を対象とすることが可能である。
【００２０】
このような管渠では、例えば道路の交差点や予め設定された距離ごとに、メンテナンス用のマンホール、或いは立坑が設置されており、管渠に於ける更生すべき範囲はマンホール、立坑の位置によって規定される。即ち、管渠を構成する際の作業は、該管渠に設置されたマンホール或いは立坑を利用して行われる。
【００２１】
また、管渠を構成する材質も特に限定するものではなく、鉄筋コンクリート管、合成樹脂管、鋳鉄管等の管からなる管渠を対象とすることが可能である。しかし、下水道用の管渠や農業用水用の管渠では鉄筋コンクリート管を利用するのが一般的である。
【００２２】
本発明に於いて利用する更生材は劣化した管渠を更生するためのものであり、単独で高い強度を有するものではない。そして、更生材は管渠の内部に該管渠の内周面から離隔して配置されるため、該更生材の外周面と管渠の内周面との間には空間が構成される。
【００２３】
このような更生材として、更生すべき管渠の内周面の形状に対応した形状に構成された複数のセグメントを、管渠の延長方向及び周方向に連続させて互いに接続して構成したものを利用することが可能である。このようなセグメントの場合、更生すべき管渠の内周面の断面形状が、円筒状、角筒状、アーチ状等の如何なる形状であっても対応することが可能となり好ましい。
【００２４】
また、更生材として円筒状の管を利用し、この管を管渠の延長方向に連続させて互いに接続して構成したものを利用することが可能である。このような更生材の場合、更生すべき管渠の内周面の断面形状が円筒状であると容易に利用することが可能となり好ましい。
【００２５】
更に、更生材として、幅方向の一方側に係合溝が他方側に該係合溝と嵌合する係合突起が形成された長尺状の部材を管渠の内部に繰り出し、係合溝と係合突起を係合させつつ螺旋状に巻き付けて構成したものを利用することが可能である。このような長尺状の更生材の場合、螺旋状に巻き付けたとき円筒状或いは楕円筒状となり、更生すべき管渠が角筒状或いはアーチ状の場合、隅角部分の多少大きな空間が形成されるものの、対応することが可能となり好ましい。
【００２６】
上記の如き更生材の材質は特に限定するものではなく、更生すべき管渠の断面形状や寸法に対応して適宜設定することが好ましい。例えば、更生材がセグメントや円筒状の管である場合、金属或いは塩化ビニルやポリエチレン等の合成樹脂を原料としたものであって良い。また、更生材が長尺状の部材である場合、塩化ビニルやポリエチレン等の合成樹脂を原料としたものであることが好ましい。
【００２７】
更生材は管渠の底部を含む内周面から離隔して配置される。更生材を管渠の内周面から離隔させる手段は限定するものではなく、管渠の底部に該管渠の延長方向に沿って棒状の部材、或いは突起状の部材からなる離隔部材を複数配置しておき、この離隔部材に更生材を載置することで離隔させることが可能である。特に、更生材を載置する離隔部材の高さを適宜設定することで、管渠の中心に対し更生材の中心を略一致させて配置することが可能となる。
【００２８】
管渠の内周面と更生材の外周面との間に形成される空間の寸法は限定するものではなく、更生された管渠の断面積を考慮すると小さいことが好ましい。しかし、外部から注入された裏込材が円滑に流動して可及的に均一に充填し得る寸法を有することが好ましい。
【００２９】
本発明に於いて、補強用金網は管渠の内周面と更生材の外周面との間に構成された空間に配置され、該空間に充填された裏込材と付着して該裏込材の強度を向上させるものである。このため、前記機能を有するものであれば利用することが可能であり、形状や構造あるいは材質等を限定するものではない。
【００３０】
例えば、波型に屈曲させた金属線を互いに絡み合わせて構成したひし形金網や亀甲形金網、更に鋼線を縦横に配置して交差部を溶接して構成した溶接金網、平織金網やクリンプ金網等の金網を用いることが可能である。そして、これらの金網の中から選択した金網を現場作業で或いは予め、管渠の形状に対応させて筒状に形成することで、補強用金網（以下、単に「金網」という）とすることが可能である。
【００３１】
上記の如き金網を構成する線材の太さは、Φ１．６〜Φ６程度の範囲にあることが好ましく、Φ２．６〜Φ４程度の範囲にあることがより好ましい。また、目の大きさは３０ｍｍ〜７０ｍｍ程度の範囲にあることが好ましく、３０ｍｍ〜５０ｍｍ程度の範囲にあることがより好ましい。線材の材質、太さ、目の大きさは、何れもＪＩＳ規格（例えばひし形金網や鋼線を縦横に配置して溶接した金網の場合、ＪＩＳ  Ｇ  ３５２１、ＪＩＳ  Ｇ  ３５３２、ＪＩＳ  Ｇ  ３５４７、ＪＩＳ  Ｇ  ３５４８、ＪＩＳ  Ｇ  ３５５２）に則ったものであることが好ましい。
【００３２】
金網を構成する線材の太さや目の寸法は、更生すべき管渠の内周面の形状や太さに応じて適宜選択して用いることが好ましい。即ち、補強の観点からは線材の太さが大きいのが好ましいが、管渠が細い場合線材が太いと内周面に沿った筒状に形成することが困難となる。また、管渠が太い場合でも、線材が６ｍｍよりも太いと、管渠の内周面に沿った筒状に形成することが困難になる虞がある。また、線材が１．６ｍｍよりも細いと充分な強度を発揮し得ない虞がある。
【００３３】
また、金網としては必ずしも網状である必要はなく、エキスパンドメタルやパンチングメタル等のシート状のものを利用することも可能である。このようなシート状の金網であったとしても、更生すべき管渠の形状に対応させた筒状に形成することで、補強用として用いることが可能である。
【００３４】
また、金網を構成する材質は特に限定するものではなく、引張力に対し高い抵抗を有する材質で、且つ管渠の内周面と更生材の外周面との間に形成された空間を充填する裏込材に対する付着性の良好な材質であることが好ましい。このような材質としては、軟鋼、硬鋼、バネ鋼、ステンレス鋼等があり、何れも好ましく用いることが可能である。また、線材の引張強度は、２９０Ｎ／ｍｍ２〜１２００Ｎ／ｍｍ２程度であることが好ましく、８００Ｎ／ｍｍ２〜１０００Ｎ／ｍｍ２程度であることがより好ましい。
【００３５】
次に、第１実施例に係る管渠の更生構造と更生方法について、図１〜図３を用いて説明する。
【００３６】
図１に示すように、更生すべき管渠１は円筒管を連続させた下水道用の管渠として構成されており、管渠１の内部には更生材２が配置されている。また、管渠１の内周面と更生材２の外周面との間に構成された空間には、金網３が配置されると共に裏込材４が充填され、硬化した裏込材４が金網３と一体化することで、高い強度を発揮している。
【００３７】
更生材２は、円筒管からなる管渠１の内周面の形状を周方向に複数に分割した形状を有する円弧状のセグメント２ａを有して構成されている。即ち、更生材２は、円弧状に形成された複数のセグメント２ａを、管渠１の内周面の周方向、及び延長方向に連続させて構成されている。
【００３８】
尚、円弧状のセグメント２ａを用いる場合、周方向に隣接するセグメントどうしをボルト等によって締結する必要はない。しかし、図２（ａ）に示すような直線部分を構成するセグメントの場合、隣接するセグメントどうしをボルト等によって締結することが必要となる。
【００３９】
金網３は、波状に屈曲させた複数の鋼線を管渠１の延長方向に並列させて隣接する鋼線どうしを互いに絡め合わせてシート状に形成し、このシートを管渠１の内周面に対応させた円筒状に形成されている。
【００４０】
裏込材４はセメントミルクを利用しており、管渠１の内周面と更生材２の外周面との間に形成された空間に外部からセメントミルクを圧送することで充填されている。そして、充填されたセメントミルクは金網３に付着して経時的に硬化し、作用するせん断力に対抗し得るような強度を発揮することが可能である。
【００４１】
複数のセグメント２ａからなる更生材２は、個々のセグメント２ａを更生すべき管渠１の内周面を周方向に複数に分割した形状に対応した形状を有している。このため、管渠１の内周面が如何なる形状であっても対応することが可能となる。
【００４２】
即ち、図２（ａ）に示すように、角筒状に形成されたボックスカルバートからなる管渠１を更生する場合、直線部分に対応する直線状のセグメント２ｂ、角部分に対応するアングル状のセグメント２ｃを夫々形成しておき、これらのセグメント２ｂ、２ｃを周方向及び管渠１の延長方向に連続させて接続することで、更生材２を構成することが可能である。
【００４３】
そして、上記の如く構成された更生材２の外周面と管渠１の内周面との間に形成された空間に、金網３が配置されると共に裏込材４が充填され、金網３に付着して硬化した裏込材４によって高い強度を有して管渠１が更生されている。
【００４４】
また、同図（ｂ）に示すように、アーチ型に形成された管渠１を更生する場合、アーチ部分に対応する円弧状のセグメント２ａ、直線部分に対応する直線状のセグメント２ｂ、角部分に対応するアングル状のセグメント２ｃを夫々形成しておき、これらのセグメント２ａ、２ｂ、２ｃを周方向及び管渠１の延長方向に連続させて接続することで、更生材２を構成することが可能である。
【００４５】
そして、上記の如く構成された更生材２の外周面と管渠１の内周面との間に形成された空間に、金網３が配置されると共に裏込材４が充填され、金網３に付着して硬化した裏込材４によって高い強度を有して管渠１が更生されている。
【００４６】
次に、管渠１を更生する際の工法について図３により説明する。
【００４７】
先ず、図３（ａ）に示すように、更生すべき管渠１の内周面を高圧清掃し、劣化している内周面をはつることで、劣化部分や付着した異物を除去する。その後、内周面の全周に、且つ管渠１の延長方向に於ける更生すべき範囲の全長にわたって金網３を配置する。金網３を管渠１に配置するに際し、該金網３が充分なバネ性を有している場合、このバネ性を利用した管渠１の内周面に沿って配置することが可能である。
【００４８】
しかし、金網３が充分なバネ性を有していない場合、何らかの手段によって金網３を管渠１の内周面に固定しておくことが必要となる。即ち、管渠１の口径が大きいような場合、内周面の全周、延長方向の更生すべき範囲に配置された金網３が自らのバネ性で管渠１の内周面に沿った形状を保持し得ずに変形して、後続する作業に支障を来す虞がある。このため、ピンなどを利用して金網３の要所を管渠１の内周面に固定しておくことで、形状を保持し得るようにすることが好ましい。
【００４９】
管渠１の内周面に金網３を配置するのに先立って、或いは配置した後、更生材２を管渠１の内周面から離隔させるための離隔部材を配置する。しかし、離隔部材は必ずしも必要ではなく、金網３に複数の突起部（図示せず）を形成することで兼用することも可能である。
【００５０】
次いで、図３（ｂ）に示すように、円弧状に形成された複数のセグメント２ａを周方向に連続させて、セグメント２ａからなるリングを構成する。このリングを管渠１の延長方向に連続させる作業を行うことで、管渠１の内周面から離隔させて更生材２を配置することが可能である。
【００５１】
特に、管渠１の口径が大きく作業員が管渠１の内部で作業し得る場合には、セグメント２ａからなるリングを移動させることなく、構成したリングに隣接させてセグメント２ａを連続させることで、目的の更生すべき範囲に更生材２を構成することが可能である。また、管渠１の口径が小さく作業員が内部で作業し得ない場合には、管渠１に設置されているマンホール内でセグメント２ａからなるリングを構成して順次管渠１の内部に移動させることで、目的の更生すべき範囲に更生材２を構成することが可能である。特に、管渠１の口径が小さい場合には、必ずしも更生材２をセグメントによって構成する必要はなく、管渠１の形状に応じた円筒管或いは角型管を利用することが可能である。
【００５２】
複数のセグメント２ａからなるリングを管渠１の内部で移動させる場合、更生すべき管渠１に設置された一方のマンホールから他方のマンホールに向けて押し出すことで移動させることが可能である。また、一方のマンホールでリングを組み立てつつ、他方のマンホールから引っ張ることで移動させることも可能である。
【００５３】
管渠１の更生すべき範囲の全長にわたって更生材２が配置されると共に、該更生材２の外周面と管渠１の内周面との間に形成された空間に金網３が配置された後、図３（ｃ）に示すように、前記空間を裏込材注入ホース５ａを取り付けた端板５によって閉鎖する。その後、裏込材注入ホース５ａを介して前記空間に裏込材４を注入して万遍なく充填する。
【００５４】
更生材２と管渠１の内周面との間に形成された空間に裏込材４を注入する場合、上記の如く端板５を利用しても良い。しかし、この注入方法に限定するものではなく、裏込材注入ホース５ａを空間の奥まで挿入しておき、裏込材４の注入と同時にマンホール側に引き戻すようにしても良い。更に、更生材２の内径を大きく、作業員が入り込むことが可能な場合には、更生材２の内面に形成された穴を利用して裏込材４を注入しても良い。何れにしても、更生材２の内径や、更生すべき管渠１の長さ等の条件に応じて最適な方法を選択することが好ましい。
【００５５】
管渠１の内周面と更生材２の外周面との間に形成された空間に裏込材４の充填が終了し、所定の養生期間が終了したとき、裏込材４は金網３に付着して硬化しており、裏込材が単独で硬化した場合の強度よりも充分に高い強度を発揮することが可能である。
【００５６】
更生材２を構成するセグメントは、管渠１の内周面を周方向に分割した形状に対応した形状に形成される。このため、更生すべき管渠１の内周面の形状が如何なるものであっても対応することが可能であり、適用し得る管渠の形状範囲を広げることが可能である。
【００５７】
図４は管渠１を更生する更生材の他の例を説明する図である。尚、前述の実施例と比較して更生材の形状が変わるものの、管渠１、金網３及び裏込材４は同様のものを利用しているため、同一の符号を付して説明を省略している。
【００５８】
図４（ａ）は、円筒管からなる更生材６によって管渠１を更生したものである。この更生材６は塩化ビニルやポリエチレンからなる円筒管を利用しており、該更生材６の外周面と管渠１の内周面との間に形成された空間に金網３が配置されると共に裏込材４が充填され、裏込材４が金網３に付着して硬化することで強度を発揮している。
【００５９】
円筒管からなる更生材６の場合、管渠１が円筒管であると作業性が良好で、且つ管渠１の内周面と更生材６の外周面との間に形成される空間も略リング状となり、無駄な隙間をなくして合理的な更生構造を実現することが可能である。
【００６０】
図４（ｂ）は、長尺状の部材を螺旋状に巻き付けた更生材７によって管渠１を更生したものである。この長尺状の部材は幅方向の一方側に係合溝が形成されると共に他方側に係合溝に係合する係合突起が形成されており、管渠１の内部に螺旋状に巻き付けつつ係合突起を係合溝に係合させることで、筒状の更生材７が構成されている。そして、更生材７の外周面と管渠１の内周面との間に形成された空間に金網３が配置されると共に裏込材４が充填され、裏込材４が金網３に付着して硬化することで強度を発揮している。
【００６１】
長尺状の部材を螺旋状に巻き付けた更生材７の場合、断面形状は円筒状或いは楕円筒状となり、内周面が円筒状或いは扁平状の管渠１に適用することが可能である。
【産業上の利用可能性】
【００６２】
本発明に係る管渠の更生構造は、高い強度を発揮することが可能なため、管渠の内周面の形状の如何に関わらず利用して有利である。
【符号の説明】
【００６３】
１            管渠
２、６、７    更生材
２ａ〜２ｃ    セグメント
３            金網
４            裏込材
５            端板
５ａ          裏込材注入ホース
【図１】
2016186340.tif 000003
【図２】
2016186340.tif 000004
【図３】
2016186340.tif 000005
【図４】
2016186340.tif 000006